(57)【要約】      （修正有）【課題】電子製品に対して充電を行い、且つ静電気、紫外線、大気汚染、温湿度等の検知機能を備え、検知した異なるパラメータによって発光素子の光源の明暗または色が変化する、太陽光で発光する充電装置を提供する。【解決手段】太陽光で発光する充電装置１０は、前記充電装置が少なくとも１つの特殊な外観設計を持つ外殼１１を備え、その内部にソーラーパネル１７と電気的に接続された回路基板１４と、前記回路基板と電気的に接続された蓄電装置、発光素子、検知センサユニットセット１８、充電器、光触媒殺菌ユニット等が収容され、且つ前記回路基板がさらに外付けの監視カメラユニット及び外付け充電器に接続され、これにより前記充電装置が電子製品に対して充電を行うことができるだけでなく、静電気、紫外線、大気汚染、温湿度等の検知機能を備え、且つ前記発光素子が検知した異なるパラメータによって光源の明暗または色を変化させることができる。【選択図】図１
0003160423.tif 000002
【実用新案登録請求の範囲】
【請求項１】
太陽光で発光する充電装置であって、前記充電装置が少なくとも１つの特殊な外観設計を持つ外殼を備え、
前記外殼内に収容され、且つ少なくとも１つの蓄電装置が電気的に接続された回路基板と、
前記外殼内に収容され、且つ前記回路基板と電気的に接続された少なくとも１つの発光素子と、
前記回路基板に電気的に接続され、太陽エネルギーの接受に用いられる少なくとも１つのソーラーパネルと、
前記回路基板と電気的に接続された検知センサユニットセットと、
を含むことを特徴とする、太陽光で発光する充電装置。
【請求項２】
前記外殼内にさらに前記蓄電装置と電気的に接続された充電器を収容したことを特徴とする、請求項１に記載の太陽光で発光する充電装置。
【請求項３】
前記外殼内にさらに前記回路基板と電気的に接続された光触媒殺菌ユニットを収容したことを特徴とする、請求項１に記載の太陽光で発光する充電装置。
【請求項４】
前記検知センサユニットセットが、静電検知センサユニット、紫外線検知センサユニット、大気汚染検知センサユニット、温湿度検知センサユニットを含むことを特徴とする、請求項１に記載の太陽光で発光する充電装置。
【請求項５】
前記回路基板にさらに監視カメラユニットが電気的に接続されたことを特徴とする、請求項１に記載の太陽光で発光する充電装置。
【請求項６】
前記回路基板にさらに外付け充電器が電気的に接続されたことを特徴とする、請求項１に記載の太陽光で発光する充電装置。
【請求項７】
前記外殼の外観設計が動物類、植物類、食品類、飛行機、Ｙ字形、連続した扇形、足形のいずれかであることを特徴とする、請求項１に記載の太陽光で発光する充電装置。
【考案の詳細な説明】
【技術分野】
【０００１】
本考案は発光及び充電効果を備えた装置に関し、特に、極めて特殊な外観を有し、大自然や各種景観に組み合わせることができ、且つ同時に太陽エネルギーによって発光、充電、蓄電、各種警告表示機能、監視等の特殊機能を実行する、太陽光で発光する充電装置に関する。
【背景技術】
【０００２】
各種代替エネルギーの中でも太陽エネルギーは最も代表的であり、太陽エネルギーは車上に利用されるだけでなく、電力システムの発電にも用いられ、且ついくら使用しても尽きることがないエネルギーであり、美観と環境保護性、実用性を兼ね備えている。太陽エネルギーを統合して装置を形成したものは太陽光発電装置と呼ばれ、前記太陽光発電装置はソーラーセルで太陽光を吸収し、吸収した光源を電気エネルギーに変換するため、太陽光を電力に変換して出力することができる。
【０００３】
しかしながら、上述の太陽光発電装置は使用時に次のような問題と欠点が確実に存在し、改善が必要とされている。太陽光収集機能を備えており、且つ太陽エネルギーで発電機能を達することができるが、一般に太陽光発電装置の外観は皆非常に変化が乏しく、太陽エネルギーの運用上も例えば太陽エネルギーを変換して充電器で使用するなどの日常機能が不足しており、特殊な外観も持っていない。これらはすべて現在の一般的な太陽光発電装置では達することができない特徴である。
【考案の概要】
【考案が解決しようとする課題】
【０００４】
本考案の主な目的は、電子製品に対して充電を行うことができるだけでなく、静電気、紫外線、大気汚染、温湿度等の検知機能を備え、且つ検知した異なるパラメータによって発光素子の光源の明暗または色が変化する、太陽光で発光する充電装置を提供することにある。
【０００５】
本考案の別の目的は、使用者が電子製品に対して充電を行いたいとき、前記充電器によって電子製品に充電することができ、同時に光触媒殺菌ユニットによって電子製品等に対し殺菌を行うことができ、また監視カメラユニットにより人や車の通行映像などの区域的な監視を行うこともできる、太陽光で発光する充電装置を提供することにある。
【課題を解決するための手段】
【０００６】
本考案の太陽光で発光する充電装置は、前記充電装置が少なくとも１つの特殊な外観設計を持つ外殼(動物類や植物類のいずれか)を備え、前記外殼内に回路基板が収容され、前記回路基板に少なくとも１つの発光素子、少なくとも１つのソーラーパネル、検知センサユニットセットが電気的に接続され、前記検知センサユニットセットが静電検知センサユニット、紫外線検知センサユニット、大気汚染検知センサユニット、温湿度検知センサユニットを含み、前記ソーラーパネルが太陽光から光エネルギーを接受して電源に変換し、前記蓄電装置に保存した後、前記蓄電装置を通して電子製品に対して充電を行うことができ、且つ前記検知センサユニットセットを通して静電気、紫外線、大気汚染、温湿度等を検知し、静電検知センサユニットが静電気の危険を検知したときは、前記発光素子が色を変え、周囲に知らせることができ、前記紫外線検知センサユニットが紫外線の強度に危険があると検知したときは、前記発光素子が色を変え、周囲に知らせることができ、前記大気汚染検知センサユニットが大気汚染を検知したときは、前記発光素子が色を変え、周囲に知らせることができ、前記温湿度検知センサユニットが湿度の異常を検知したときは、前記発光素子が色を変え、周囲に知らせることができる。上述の技術により、従来の太陽光発電装置に存在する、太陽光収集機能を備えていて太陽エネルギーで発電機能を達することができるものの、一般に外観が皆非常に変化に乏しく、太陽エネルギーの運用上も例えば太陽エネルギーを変換して充電器で使用するなどの日常機能が不足しており、特殊な外観も持っていないといった現在の一般的な太陽光発電装置の問題点を打破し、特殊な新規的外殼の外観設計を備え、且つ蓄電装置により電気エネルギーを保存して発光素子、検知センサユニットセット等に必要な電力を供給し、検知センサユニットセットが検知した数値に基づき発光素子に光源明暗、色等の変化を行わせ、周囲に知らせるという実用性と進歩性を提供する。
【０００７】
本考案の太陽光で発光する充電装置は、前記外殼内に回路基板、前記回路基板と電気的に接続された充電器、前記回路基板と電気的に接続された光触媒殺菌ユニット、前記回路基板と電気的に接続された監視カメラユニットが収容される。
【考案の効果】
【０００８】
本考案には次のような利点が確実に存在する。本考案は特殊で新規的な外殼１１の設計（動物、植物、食品等）を備え、且つ蓄電装置１５により電気エネルギーを保存して発光素子１６、検知センサユニットセット１８等に対し必要な電力の供給を行い、検知センサユニットセット１８が検知した数値（静電気、紫外線、大気汚染、温湿度）に基づき発光素子１６の光源の明暗、色等を変化させ、周囲に知らせることができ、実用性と進歩性を備えている。
【０００９】
また、電子製品２０に対して充電を行うことができ、携帯電話などを前記外殼１１内に収容して充電器１２に接続し、太陽エネルギーを電気エネルギーに変換して充電を行うことができ、また携帯電話を音楽用のスピーカやいびき防止時計、目覚まし時計等として利用してもよい。
【００１０】
さらに、前記監視カメラユニット３０ａにより屋外の人、車等を監視し、居住者に更なる安全保障を提供することができる。
【図面の簡単な説明】
【００１１】
【図１】本考案の最良の実施例の立体図である。
【図２】本考案の最良の実施例の分解図である。
【図３】本考案の最良の実施例のブロック図である。
【図４】本考案の最良の実施例の室外での実施の概略図１である。
【図５】本考案の最良の実施例の室外での実施の概略図２である。
【図６】本考案の最良の実施例の室内での実施の概略図である。
【図７】本考案の実施例１の実施の概略図である。
【図８】本考案の実施例２の実施の概略図である。
【図９】本考案の実施例３の実施の概略図である。
【図１０】本考案の実施例４の実施の概略図である。
【図１１】本考案の実施例５の実施の概略図である。
【図１２】本考案の実施例６の実施の概略図である。
【図１３】本考案の実施例７の実施の概略図である。
【図１４】本考案の実施例８の実施の概略図である。
【図１５】本考案の実施例９の実施の概略図である。
【図１６】本考案の実施例１０の実施の概略図である。
【図１７】本考案の実施例１１の実施の概略図である。
【考案を実施するための形態】
【００１２】
図１、図２、図３に本考案の最良の実施例の立体図、分解図、ブロック図をそれぞれ示す。これらの図からはっきりと分かるように、本考案充電装置１０は少なくとも１つの特殊な外観設計を持つ外殼１１を備え、前記外殼１１の外観設計は動物類や植物類のいずれかとすることができ、前記外殼１１内に下で述べる蓄電装置１５に電気的に接続された充電器１２と、下で述べる回路基板１４に電気的に接続された光触媒殺菌ユニット１３が収容される。主に次を含むことを特徴とする。
【００１３】
前記外殼１１内に収容される前記回路基板１４は、少なくとも１つの蓄電装置１５が電気的に接続される。
【００１４】
少なくとも１つの発光素子１６は、前記外殼１１内に収容され、且つ前記回路基板１４と電気的に接続される。
【００１５】
少なくとも１つのソーラーパネル１７は、前記回路基板１４と電気的に接続され、太陽エネルギーの接受に用いられる。
【００１６】
前記回路基板１４と電気的に接続された検知センサユニットセット１８は、静電検知センサユニット１８１、紫外線検知センサユニット１８２、大気汚染検知センサユニット１８３、温湿度検知センサユニット１８４を含む。
【００１７】
上述の構造、構成の設計に基づき、同時に図２、図３、図４、図５の本考案の最良の実施例の分解図、ブロック図、室外での実施を示す概略図１、２を参照する。これらの図からはっきりと分かるように、前記ソーラーパネル１７は太陽光１９の光エネルギーを接受して電源に変換し、前記蓄電装置１５に保存した後、前記検知センサユニットセット１８または発光素子１６に対して給電を行うことができ、且つ前記検知センサユニットセット１８は静電気、紫外線、大気汚染、温湿度等を検知し、静電検知センサユニット１８１が静電気の危険を検知したときは、前記発光素子１６が色を変え、静電気が強過ぎるため空気が乾燥しているときは近づかないように周辺の人々に知らせることができ、前記紫外線検知センサユニット１８２が紫外線の強度の危険を検知したときは、前記発光素子１６が色を変え、日焼けに対する注意や外出の回避を周囲に知らせることができ、前記大気汚染検知センサユニット１８３が大気汚染を検知したときは、前記発光素子１６が色を変え、空気品質が悪すぎることを周囲に知らせることができ、前記温湿度検知センサユニット１８４が湿度の異常を検知したときは、前記発光素子１６が色を変え、周囲に知らせることができる。
【００１８】
図６に本考案の最良の実施例の室内での実施の概略図を示す。この図からはっきりと分かるように、前記充電装置１０は少なくとも１つの特殊な外観設計を持つ外殼１１を備え、且つ室内に配置することもでき、前記充電装置１０は電子製品２０に接続する充電器１２を含み、使用者が前記電子製品２０と前記充電器１２を接続した後、音楽用スピーカ、メッセージ再生装置、目覚まし時計、いびき防止時計などに幅広く運用でき、同時に前記光触媒殺菌ユニット１３で前記電子製品２０に対して殺菌を行うこともできる。
【実施例１】
【００１９】
図７に本考案の実施例１の実施の概略図を示す。この図からはっきりと分かるように、前記充電装置１０ａは少なくとも１つの特殊な外観設計を持つ外殼１１ａを備え、前記外殼１１ａ内に回路基板１４ａが収容され、前記回路基板１４ａにはさらに監視カメラユニット３０ａが電気的に接続され、前記監視カメラユニット３０ａに偽装効果を持たせることができ、且つ前記監視カメラユニット３０ａにより隨時屋外や屋内の様子を監視し、毎日の状況を記録して、使用者がこれを見ることができる。
【実施例２】
【００２０】
図８に本考案の実施例２の実施の概略図を示す。この図からはっきりと分かるように、前記充電装置１０ｂは少なくとも１つの特殊な外観設計を持つ外殼１１ｂを備え、前記外殼１１ｂ内に回路基板１４ｂが収容され、前記回路基板１４ｂにはさらに外付け充電器１２ｂが電気的に接続され、使用者は前記外付け充電器１２ｂを直接使用して電子製品２０ｂに対して充電を行うことができ、使用者の使用に便利である。
【実施例３】
【００２１】
図９に本考案の実施例３の実施の概略図を示す。この図からはっきりと分かるように、前記充電装置１０ｃは少なくとも１つの特殊な外観設計を持つ外殼１１ｃを備え、前記外殼１１ｃ内に回路基板１４ｃと電気的に接続された発光素子１６ｃ及び検知センサユニットセット１８ｃが設置され、且つ前記外殼１１ｃはぶどうの外観設計（即ち食品類の外観設計）とすることができ、本考案はぶどうの外観設計に限定されず、これは単なる実施例の１つであり、即ち食品類の外観も本考案の請求の範囲に属する。
【実施例４】
【００２２】
図１０に本考案の実施例４の実施の概略図を示す。この図からはっきりと分かるように、前記充電装置１０ｄは少なくとも１つの特殊な外観設計を持つ外殼１１ｄを備え、前記外殼１１ｄ内に回路基板１４ｄと電気的に接続された発光素子１６ｄ及び検知センサユニットセット１８ｄが設置され、且つ前記外殼１１ｄは樹木の外観設計（即ち植物類の外観設計）とすることができ、本考案は樹木の外観設計に限定されず、これは単なる実施例の１つであり、即ち植物類の外観も本考案の請求の範囲に属する。
【実施例５】
【００２３】
図１１に本考案の実施例５の実施の概略図を示す。この図からはっきりと分かるように、前記充電装置１０ｅは少なくとも１つの特殊な外観設計を持つ外殼１１ｅを備え、前記外殼１１ｅ内に回路基板１４ｅと電気的に接続された発光素子１６ｅ及び検知センサユニットセット１８ｅが設置され、且つ前記外殼１１ｅは小熊の外観設計（即ち動物類の外観設計）とすることができ、本考案は小熊の外観設計に限定されず、これは単なる実施例の１つであり、即ち動物類の外観も本考案の請求の範囲に属する。
【実施例６】
【００２４】
図１２に本考案の実施例６の実施の概略図を示す。この図からはっきりと分かるように、前記充電装置１０ｆは少なくとも１つの特殊な外観設計を持つ外殼１１ｆを備え、前記外殼１１ｆ内に回路基板１４ｆと電気的に接続された発光素子１６ｆ及び検知センサユニットセット１８ｆが設置され、且つ前記外殼１１ｆは小鳥の外観設計（即ち動物類の外観設計）とすることができ、前記小鳥の翼に前記充電装置１０ｆと電気的に接続されたソーラーパネル１７ｆが設置される。本考案は小鳥の外観設計に限定されず、これは単なる実施例の１つであり、即ち動物類の外観も本考案の請求の範囲に属する。
【実施例７】
【００２５】
図１３に本考案の実施例７の実施の概略図を示す。この図からはっきりと分かるように、前記充電装置１０ｇは少なくとも１つの特殊な外観設計を持つ外殼１１ｇを備え、前記外殼１１ｇ内に回路基板１４ｇと電気的に接続された発光素子１６ｇ及び検知センサユニットセット１８ｇが設置され、且つ前記外殼１１ｇは蝶の外観設計（即ち動物類の外観設計）とすることができ、且つ前記蝶の羽に前記充電装置１０gと電気的に接続されたソーラーパネル１７ｇが設置される。本考案は蝶の外観設計に限定されず、これは単なる実施例の１つであり、即ち動物類の外観も本考案の請求の範囲に属する。
【実施例８】
【００２６】
図１４に本考案の実施例８の実施の概略図を示す。この図からはっきりと分かるように、前記充電装置１０ｈは少なくとも１つの特殊な外観設計を持つ外殼１１ｈを備え、前記外殼１１ｈ内に回路基板１４ｈと電気的に接続された発光素子１６ｈ及び検知センサユニットセット１８ｈが設置され、且つ前記外殼１１ｈは飛行機の外観設計とすることができ、且つ前記飛行機の翼に前記充電装置１０ｈと電気的に接続されたソーラーパネル１７ｈが設置される。
【実施例９】
【００２７】
図１５に本考案の実施例９の実施の概略図を示す。この図からはっきりと分かるように、前記充電装置１０ｉは少なくとも１つの特殊な外観設計を持つ外殼１１ｉを備え、前記外殼１１ｉ内に回路基板１４ｉと電気的に接続された発光素子１６ｉ及び検知センサユニットセット１８ｉが設置され、且つ前記外殼１１ｉはＹ字形とすることができ、且つ前記Ｙ字形の底面に前記充電装置１０ｉと電気的に接続されたソーラーパネル１７ｉが設置される。車両上に運用して無停電発光装置とすることができる。
【実施例１０】
【００２８】
図１６に本考案の実施例１０の実施の概略図を示す。この図からはっきりと分かるように、前記充電装置１０ｊは少なくとも１つの特殊な外観設計を持つ外殼１１ｊを備え、前記外殼１１ｊ内に回路基板１４ｊと電気的に接続された発光素子１６ｊ及び検知センサユニットセット１８ｊが設置され、且つ前記外殼１１ｊは連続した扇形とすることができ、且つ前記連続した扇形のいずれかの扇形内に前記充電装置１０ｊと電気的に接続されたソーラーパネル１７ｊが設置され、及び上述の発光素子１６ｊが収容される。車両上に運用して無停電発光装置とすることができる。
【実施例１１】
【００２９】
図１７に本考案の実施例１１の実施の概略図を示す。この図からはっきりと分かるように、前記充電装置１０ｋは少なくとも１つの特殊な外観設計を持つ外殼１１ｋを備え、前記外殼１１ｋ内に回路基板１４ｋと電気的に接続された発光素子１６ｋ、検知センサユニットセット１８ｋ、光触媒殺菌ユニット１３ｋが設置され、且つ前記外殼１１ｋは足形とすることができ、靴の中に設置してもよく、同時に前記光触媒殺菌ユニット１３ｋにより靴の内部に対して殺菌を行うことができ、且つ前記足形上部に前記充電装置１０ｋと電気的に接続されたソーラーパネル１７ｋが設置される。
【符号の説明】
【００３０】
１０、１０ａ、１０ｂ、１０ｃ、１０ｄ、１０ｅ、１０ｆ、１０ｇ、１０ｈ、１０ｉ、１０ｊ、１０ｋ    充電装置
１１、１１ａ、１１ｂ、１１ｃ、１１ｄ、１１ｅ、１１ｆ、１１ｇ、１１ｈ、１１ｉ、１１ｊ、１１ｋ    外殼
１２      充電器
１２ｂ    外付け充電器
１３、１３ｋ    光触媒殺菌ユニット
１４、１４ａ、１４ｂ、１４ｃ、１４ｄ、１４ｅ、１４ｆ、１４ｇ、１４ｈ、１４ｉ、１４ｊ、１４ｋ    回路基板
１５      蓄電装置
１６、１６ｃ、１６ｄ、１６ｅ、１６ｆ、１６ｇ、１６ｈ、１６ｉ、１６ｊ、１６ｋ    発光素子
１７、１７ｆ、１７ｇ、１７ｈ、１７ｉ、１７ｊ、１７ｋ    ソーラーパネル
１８、１８ｃ、１８ｄ、１８ｅ、１８ｆ、１８ｇ、１８ｈ、１８ｉ、１８ｊ、１８ｋ    検知センサユニットセット
１８１    静電検知センサユニット
１８２    紫外線検知センサユニット
１８３    大気汚染検知センサユニット
１８４    温湿度検知センサユニット
１９      光源
２０、２０ｂ    電子製品
３０ａ    監視カメラユニット
【図１】
0003160423.tif 000003
【図２】
0003160423.tif 000004
【図３】
0003160423.tif 000005
【図４】
0003160423.tif 000006
【図５】
0003160423.tif 000007
【図６】
0003160423.tif 000008
【図７】
0003160423.tif 000009
【図８】
0003160423.tif 000010
【図９】
0003160423.tif 000011
【図１０】
0003160423.tif 000012
【図１１】
0003160423.tif 000013
【図１２】
0003160423.tif 000014
【図１３】
0003160423.tif 000015
【図１４】
0003160423.tif 000016
【図１５】
0003160423.tif 000017
【図１６】
0003160423.tif 000018
【図１７】
0003160423.tif 000019